(57)【要約】【課題】バケットの付替え作業を行なうことなく、建築及び土木工事、廃棄物の分別作業における一連の作業状況に効率良く、且つ安全に対応できるパワーショベル用バケットを提供する。【解決手段】  パワーショベルのアームの先端に装着されるパワーショベル用バケットにおいて、開口が形成されたバケット本体部と、該バケット本体部に連設して設けられ前記アームに枢着されるブラケットと、該ブラケット内に収納され前記バケット本体部内を回動可能な中歯部と、該中歯部を回動可能に設けられた油圧機構と、から構成される。【選択図】        図１
2007009611.tif 000002
【特許請求の範囲】
【請求項１】
パワーショベルのアームの先端に装着されるパワーショベル用バケットにおいて、開口が形成されたバケット本体部と、該バケット本体部に連設して設けられ前記アームに枢着されるブラケットと、該ブラケット内に収納され前記バケット本体部内を回動可能な中歯部と、該中歯部を回動可能に設けられた油圧機構と、から構成されるパワーショベル用バケット。
【請求項２】
前記中歯部の先端部は、前記バケット本体部の先端部と当接し、前記中歯部の先端面と前記バケット本体部の先端面とは同一面に揃うことを特徴とする請求項１記載のパワーショベル用バケット。
【請求項３】
前記油圧機構は、油圧シリンダーから構成され、該油圧シリンダーの一端を前記中歯部の先端側内部に回動自在に連結し、他端を前記ブラケット内に回動自在に連結したことを特徴とする請求項１又は２記載のパワーショベル用バケット。
【発明の詳細な説明】
【技術分野】
【０００１】
本発明は、パワーショベル用バケットであって、とくに建築及び土木工事、廃棄物の分別作業における一連の作業状況に効率良く、且つ安全に使用できるパワーショベル用バケットに関するものである。
【背景技術】
【０００２】
従来、パワーショベルのアーム先端に装着されるバケットには、作業に応じた数々のものがある。例えば図５に示すように、椀型のバケット１はアーム４の先端部にブラケット３を介して装着され、バケットシリンダー５の伸縮にてバケット本体２が傾動され、通常の土木作業に好適に使用されるものである。また、家屋の解体や廃棄物の分別に適した挟持や破砕を可能とするバケットもある。
【０００３】
しかしながら、上記の従来のバケットを使用して建築及び土木工事、廃棄物の分別作業における一連の作業を行なうためには、その作業工程に応じたバケットを用意し、しかも作業毎にバケット交換を行なう必要があった。しかも、この交換作業には通常３０分以上掛かり、本来の建築及び土木工事、廃棄物の分別作業が中断するという問題点があった。
【０００４】
これに対し、開口部が形成されたバケット本体部と、その開口に対して離合しての開閉動作が可能なカバー部をそなえたパワーショベル用バケットが提案されている（特許文献１参照。）。
【０００５】
また、掘削作業と把持作業とを兼用できるクランプバケットも紹介されている（特許文献２参照。）。
【特許文献１】特開平１０−１８３３５号公報
【特許文献２】登録実用新案第３０５１７７１号公報
【発明の開示】
【発明が解決しようとする課題】
【０００６】
しかしながら、上記特許文献１に提案されているパワーショベル用バケットの場合、建築及び土木工事、廃棄物の分別作業における一連の作業を一種類のバケットによって可能とするものであるが、例えば家屋の解体作業終了後に整地作業を行なうためにはカバー部をバケット本体部の位置からからアームに沿って移動させる機構が必要であり、前記バケット本体及びアームに複雑な構造を必要とした。しかも前記カバー部を稼動させるためには大きな油圧機構を必要とし高価であるという問題点があった。
【０００７】
また、上記特許文献２に提案されているクランプバケットの場合、バケット基部の上部に軸着されたフォーク部をフォーク用油圧シリンダーの伸縮によって開閉させて掘削作業と把持作業を可能とするものであるが、前記フォーク部の開閉は、前記バケット基部の上部の軸を介して前記フォーク用油圧シリンダーの伸縮力が作用するものであり、例えば長い木材等を把持する場合に把持力が不足し前記フォーク部とバケット基部の間で滑る虞があり、作業者に危険を伴うものであった。しかもバケット基部やフォーク部の幅より小さな物品の把持には適さないという問題点もあった。
【０００８】
本発明は、上記の問題点に鑑みなされたもので、建築及び土木工事、廃棄物の分別作業における一連の作業（掘削、把持、破砕等）を、同一のバケットで可能とし、しかも前記把持作業及び破砕作業に使用される中歯部をバケット本体部に連設して設けられたブラケット内に収納可能に設けることによりバケットをコンパクトにでき、また大きな油圧機構や付加的な機構を必要とせず安価であり、さらに前記ブラケット内に設けられた油圧機構により前記中歯部を回動させて、該中歯部の先端部と前記バケットの先端部とを同一面で当接させるため、バケットの幅より小さな物であっても確実に把持でき、安全に作業を行なえるパワーショベル用バケットを提供することを目的とする。
【課題を解決するための手段】
【０００９】
このため本発明のパワーショベル用バケットは、開口が形成されたバケット本体部と、該バケット本体部に連設して設けられ前記アームに枢着されるブラケットと、該ブラケット内に収納され前記バケット本体部内を回動可能な中歯部と、該中歯部を回動可能に設けられた油圧機構と、から構成されることを第１の特徴とする。
【００１０】
また、前記中歯部の先端部は、前記バケット本体部の先端部と当接し、前記中歯部の先端面と前記バケット本体部の先端面とは同一面に揃うことを第２の特徴とする。
【００１１】
さらに、前記油圧機構は、油圧シリンダーから構成され、該油圧シリンダーの一端を前記中歯部の先端側内部に回動自在に連結し、他端を前記ブラケット内に回動自在に連結したことを第３の特徴とする。
【発明の効果】
【００１２】
本発明によるパワーショベル用バケットによれば、開口が形成されたバケット本体部と、該ブラケット内に収納され前記バケット本体部内を回動可能な中歯部とで構成されているため、同一のバケットで建築及び土木工事、廃棄物の分別作業における一連の作業（掘削、把持、破砕等）が可能であるという優れた効果を有する。
【００１３】
また、前記中歯部が前記ブラケット内に収納される構成となっているため、バケットをコンパクトにでき、しかもパワーショベル本体に何ら付加的な機構を必要としたいため安価であり、また操作性にも優れるという効果を有する。
【００１４】
さらに、前記中歯部の先端部は前記バケット本体部の先端部と当接し、前記中歯部の先端面と前記バケット本体部の先端面とは同一面に揃うため、バケット本体部の幅より小さな物であっても略ピンセットの如く微操作が可能となり確実に把持ができる。しかも前記油圧機構は、油圧シリンダーから構成され、該油圧シリンダーの一端を前記中歯部の先端側内部に回動自在に連結し、他端を前記ブラケット内に回動自在に連結しているため、前記中歯部と前記バケット本体部による把持力が大きく、被把持物が滑る虞もなく安全に作業を行なうことができるという優れた効果を有する。
【発明を実施するための最良の形態】
【００１５】
以下、本発明のパワーショベル用バケットを実施例に基づいて説明するが、本発明が本実施例に限定されないことは言うまでもない。図１は本発明の一実施例に係るパワーショベル用バケットの斜視図、図２は図１の側面図である。図３は中歯部の稼動状態を示す説明図、図４は図１の正面説明図、図５は従来のパワーショベル用バケットを示す側面説明図である。
【実施例】
【００１６】
図１乃至図４に示すように、本発明に係るパワーショベル用バケット１は、バケット本体部２と、バケット本体部２に連設するブラケット３と、ブラケット３内に収納されバケット本体部２内で回動する中歯部６と、中歯部６を回動させる油圧シリンダー７とから構成されている。
【００１７】
ここで、バケット１はパワーショベル（図示せず）のアーム４とブラケット３とでピンシャフトによって枢着されると共に、バケットシリンダー（図示せず）の伸縮により傾動可能とされ、土木工事等における掘削作業が効率良くできるようにされている。またバケット本体部２のブラケット３との接続部は中歯部６を収納可能に開口しており、中歯部６がブラケット３に収納される際に中歯部６の底部によって閉鎖される。
【００１８】
中歯部６は、その基端部がピンシャフトによってブラケット３内で枢着され、収納自在とされると共に、中歯部６の内部に設けられた油圧シリンダー７の基端部がピンシャフトによってブラケット３内に回動可能に連結し、油圧シリンダー７のシリンダーロッド７ａの先端部が中歯部６の先端側内部に回動自在に連結され、油圧シリンダー７のシリンダーロッド７ａの伸縮によりバケット本体部２の開口部内を回動可能とされている。
【００１９】
中歯部６の形状は略棒状で、中歯部６の先端から突出して形成された先端部６ａはバケット本体部２の先端部２ａと中歯部６の回動により当接し、また中歯部６の先端面６ｂはバケット本体部２の先端面２ｂと同一面に揃う。この構成により油圧シリンダー７のシリンダーロッド７ａを伸縮させると、図３に示すように中歯部６はブラケット３からバケット本体部２の開口部へ回動し、中歯部６の先端部６ａはバケット本体部２の先端部２ａと当接し、小さな物品であっても略ピンセットの様な動作によって確実に把持することが可能となり、しかも油圧シリンダー７の強力な圧力を中歯部６の下部に直接加えることができるため、例えば長尺の木材などを把持しても滑る虞がない。
【００２０】
次に本実施例の作用について説明する。まず油圧シリンダー７のシリンダーロッド７ａを縮め、中歯部６をブラケット３内に収納させる。中歯部６が収納された状態のバケット１は、通常のバケットと全く同じ取り扱いが可能であり、掘削作業や整地作業が可能である。次に油圧シリンダー７のシリンダーロッド７ａを伸ばし、中歯部６を回動させバケット本体部２の開口部と中歯部６、或いはバケット本体部２の先端部２ａと中歯部６とで物品の把持が可能となる。また必要に応じて中歯部６とバケット本体部２とで破砕作業も可能である。ここでアスファルト道路の改修作業を例に説明すると、まずアスファルト路面を専用機により切断する。次にパワーショベル等により切断されたアスファルトを掘り起こし、運搬用の車輌に積み替えを行なう。ここで前記切断されたアスファルトをバケット１によって掘り起こし、次いで中歯部６を回動させてアスファルトを適宜な大きさに粉砕して運搬用の車輌に積み替えを行なう一連の作業が同一のバケット１で可能となる。しかも状況によって、アスファルト路面の切断作業なしでバケット１による直接掘削作業も可能とされる。アスファルト路面の掘削作業が終了すると、中歯部６をブラケット３内に収納して通常のバケットによる作業と同様に整地作業を行なう。
【００２１】
以上の構成からなる本発明のパワーショベル用バケットによれば、同一のバケットで建築及び土木工事、廃棄物の分別作業における一連の作業（掘削、把持、破砕等）が可能となり、中歯部が前記ブラケット内に収納される構成となっているため、バケットをコンパクトにでき、しかも付加的な機構を必要しないため安価である。
【００２２】
さらに、中歯部の先端部とバケット本体部の先端部とが同一面で揃って当接するため、バケット本体部の幅より小さな物であっても確実に把持が可能であり、安全に作業が出来る。
【産業上の利用可能性】
【００２３】
本発明によるパワーショベル用バケットによれば、建築物の解体、産業廃棄物の処理作業等の分別作業用、また風水害等の災害復旧作業時において道路の復旧や廃材の片付け等、多くの人手作業を必要とするパワーショベル用アタッチメントとして好適に使用できる。
【図面の簡単な説明】
【００２４】
【図１】本発明の一実施例に係るパワーショベル用バケットの斜視図である。
【図２】図１の側面図である。
【図３】中歯部の稼動状態を示す説明図である。
【図４】図１の正面説明図である。
【図５】従来のパワーショベル用バケットを示す側面説明図である。
【符号の説明】
【００２５】
１                  バケット
２                  バケット本体
２ａ、６ａ          先端部
２ｂ、６ｂ          先端面
３                  ブラケット
４                  アーム
５                  バケットシリンダー
６                  中歯部
７                  油圧シリンダー
７ａ                シリンダーロッド
【図１】
2007009611.tif 000003
【図２】
2007009611.tif 000004
【図３】
2007009611.tif 000005
【図４】
2007009611.tif 000006
【図５】
2007009611.tif 000007